(57)【要約】【課題】太陽電池の反射光が使用者にとって眩しいものとならないように構成されたリモコン及びリモコンユニットを提供する。【解決手段】前面部に透光パネル２及び太陽電池３が設けられており、該前面部が上下方向となるように設置されるリモコン１において、該リモコン１の設置状態において該太陽電池３が水平方向よりも下方を指向している。太陽電池３は上下多段に設けられている。各太陽電池３の側面から突設された軸４にピニオン５が設けられている。各ピニオン５がラック６に噛合しており、操作片７によってラック６を上下動させることにより太陽電池３の俯角が調整される。【選択図】図１
2011256631.tif 000002
【特許請求の範囲】
【請求項１】
前面部に太陽電池が設けられており、該前面部が上下方向となるように設置されるリモコンにおいて、
該リモコンの設置状態において該太陽電池が水平方向よりも下方を指向していることを特徴とするリモコン。
【請求項２】
請求項１において、複数枚の太陽電池が上下に多段に設けられていることを特徴とするリモコン。
【請求項３】
請求項１又は２において、前記太陽電池が俯角変更可能に設けられていることを特徴とするリモコン。
【請求項４】
請求項１ないし３のいずれか１項において、前記太陽電池が左右方向の指向角度変更可能に設けられていることを特徴とするリモコン。
【請求項５】
請求項１ないし４のいずれか１項に記載のリモコンと、該リモコンによって操作可能な機器本体とを有するリモコンユニットであって、
該機器本体は、該リモコンに向けて電磁波を照射する電磁波照射手段を備えており、
該リモコンは、電磁波を受信して蓄電する蓄電手段を備えているリモコンユニット。
【請求項６】
請求項５において、該機器本体は便器に設置されるトイレ用機器であることを特徴とするリモコンユニット。
【発明の詳細な説明】
【技術分野】
【０００１】
本発明は、太陽電池を備えたリモコン及びリモコンユニットに係り、特にトイレルームに設置するのに好適なリモコン及びリモコンユニットに関する。
【背景技術】
【０００２】
太陽電池を上向きに設けることにより受光光量を増大させ、発電効率を向上させたトイレルーム用リモコンが特開平８−２２３６５２号公報に記載されている。
【先行技術文献】
【特許文献】
【０００３】
【特許文献１】特開平８−２２３６５２号公報
【発明の概要】
【発明が解決しようとする課題】
【０００４】
太陽電池は光を反射するので、特開平８−２２３６５２号公報のように太陽電池を上向きに設けた場合、反射光がトイレ使用者（着座者、介添者、男子小用使用者、清掃作業者など）にとって眩しくなることがある。
【０００５】
本発明は、太陽電池の反射光が使用者にとって眩しいものとならないように構成されたリモコン及びリモコンユニットを提供することを目的とする。
【課題を解決するための手段】
【０００６】
本発明（請求項１）のリモコンは、前面部に太陽電池が設けられており、該前面部が上下方向となるように設置されるリモコンにおいて、該リモコンの設置状態において該太陽電池が水平方向よりも下方を指向していることを特徴とするものである。
【０００７】
請求項２のリモコンは、請求項１において、複数枚の太陽電池が上下に多段に設けられていることを特徴とするものである。
【０００８】
請求項３のリモコンは、請求項１又は２において、前記太陽電池が俯角変更可能に設けられていることを特徴とするものである。
【０００９】
請求項４のリモコンは、請求項１ないし３のいずれか１項において、前記太陽電池が左右方向の指向角度変更可能に設けられていることを特徴とするものである。
【００１０】
本発明（請求項５）のリモコンユニットは、請求項１ないし４のいずれか１項に記載のリモコンと、該リモコンによって操作可能な機器本体とを有するリモコンユニットであって、該機器本体は、該リモコンに向けて電磁波を照射する電磁波照射手段を備えており、該リモコンは、電磁波を受信して蓄電する蓄電手段を備えているものである。
【００１１】
請求項６のリモコンユニットは、請求項５において、該機器本体は便器に設置されるトイレ用機器であることを特徴とするものである。
【発明の効果】
【００１２】
本発明のリモコンは、太陽電池が水平方向よりも下方を指向しているので、太陽電池の反射光が使用者に入射することが防止ないし抑制され、眩しさが解消される。太陽電池を上下に多段に設けることにより、太陽電池の俯角を大きくしてもリモコンの厚み増加を小さくすることができる。
【００１３】
太陽電池の俯角を変更可能とすることにより、反射の方向を調整することができる。
【００１４】
太陽電池を左右方向の指向角度変更可能とすることにより、太陽電池を光源を指向するように配向させ、太陽電池の受光光量を増加させることができる。
【図面の簡単な説明】
【００１５】
【図１】実施の形態に係るリモコンの斜視図である。
【図２】図１のII−II線に沿う断面図である。
【図３】太陽電池の傾動機構を示す斜視図である。
【図４】（ａ）図は別の実施の形態に係るリモコンの断面図、（ｂ）図はその太陽電池の傾動機構を示す斜視図である。
【図５】太陽電池のさらに別の傾動機構を示す斜視図である。
【図６】異なる実施の形態に係る太陽電池の回動機構を示す斜視図である。
【図７】実施の形態に係るリモコンを備えたトイレルームの斜視図である。
【図８】図７の平面図である。
【発明を実施するための形態】
【００１６】
以下、図面を参照して実施の形態について説明する。
【００１７】
第１図〜第３図は第１の実施の形態に係るリモコンを示すものであり、第１図はリモコンの斜視図、第２図は第１図のII−II線断面図、第３図は太陽電池の傾動機構を示す斜視図である。
【００１８】
このリモコン１はトイレルームなどの部屋の壁に取り付けられる長方形の盤状のものであり、その前面の上部に透光パネル２が設けられ、該透光パネル２の裏側に複数枚（この実施の形態では３枚）の太陽電池３が設置されている。
【００１９】
太陽電池３は横長の長方形板状であり、第２図の通り水平よりも所定角度θだけ下方を指向するように設置されている。太陽電池の左右の端面から水平に軸４が突設され、各軸４がリモコン１のケーシングの軸受部（図示略）に回動可能に支持されている。各太陽電池３の右側の軸４の先端にピニオン５が設けられ、該ピニオン５がラック６に噛合している。ラック６は、リモコン１のハウジングに設けられた案内溝（図示略）に上下動可能に支持されている。
【００２０】
リモコン１の右端面には、このラック６の突片６ａ（第３図）に連結された操作片７（第１図）が上下動可能に配置されている。この操作片７を上下に動かすことにより、ラック６が上下動し、ピニオン５が回転し、太陽電池３の俯角θが変更される。
【００２１】
なお、リモコン１の前面には各種のスイッチが設置されている。
【００２２】
このように構成されたリモコンにおいては、太陽電池３が下方を指向して設置されているので、反射光が直接にトイレ使用者などの人の顔に当ることが防止され、眩しさが解消される。なお、操作片７を上下動させることにより太陽電池３の俯角θを調整することができる。
【００２３】
この実施の形態では太陽電池３を横長とし、上下に多段に設けているので、各太陽電池３の上下幅が小さい。従って、リモコン１の厚みｄを小さくしても俯角θを大きくとることが可能である。
【００２４】
ただし、本発明では、太陽電池を上下に１段にのみ設けてもよい。第４図はかかるリモコンの一例を示すものであり、（ａ）図はリモコン１Ａの第２図と同様箇所の断面図、（ｂ）図は太陽電池の一部の斜視図である。
【００２５】
このリモコン１Ａでは、透光パネル２の裏側に、該透光パネル２と略同一大きさの１枚の太陽電池３Ａが設けられている。この太陽電池３Ａの右端側の軸４にはハンドル８が取り付けられている。このハンドル８はリモコン１Ａのケーシングの右側面の外部に配置されている。このハンドル８をＲ方向に回すことにより、太陽電池３Ａの俯角θが調整される。このリモコン１Ａは、俯角θを大きくするためには厚みを大きくする必要があるが、太陽電池３Ａの傾動機構がシンプルである。
【００２６】
本発明では、第５図のように、太陽電池３Ａをユニバーサルリンク９によってリモコンケーシングの俯仰方向及び左右方向回動可能に支持し、ハンドル８付きの横軸４だけでなく、ハンドル８Ａ付きの縦軸４Ａを太陽電池３Ａに取り付け、俯角θだけでなく左右方向の指向角度のいずれも調整可能としてもよい。
【００２７】
本発明では、第６図のように複数の縦長の太陽電池３Ｃを並列に、かつ各々が斜め下向きとなるように配置し、太陽電池３Ｃの上下両端面から軸４Ｃを上下に突設して軸受け（図示略）によって支持し、左右方向の指向角度を調整可能としてもよい。この実施の形態では、上側の軸４Ｃにピニオン５Ｃが固着され、各ピニオン５Ｃが共通のラック６Ｃに噛合している。ラック６Ｃの突片の６ａに操作片（図示略。この操作片は、リモコンケーシングの上端面に配置されている。）が係合している。該操作片を左右にスライド操作してラック６Ｃを左右に動かすことにより、各太陽電池３Ｃの左右の指向方向が調整される。これにより、各太陽電池を光源（例えば便座ボックスの発光体）に向けて配列することができ、発電量を多くすることが可能となる。
【００２８】
第１図〜第３図の構成を有したリモコンをトイレルームの壁面に設置し、温水洗浄装置等をリモートコントロールするよう構成した便器設備を第７，８図に示す。
【００２９】
第７図の通り、洋風便器１０の後部上面に便座ボックス１２が設置され、この便座ボックス１２に便座１４及び便蓋１６が起倒自在に枢支されている。この便座ボックス１２の右側面（便器着座者にとっての右側面。以下、同様。）には手動式フラッシュハンドル１８が設けられている。また、この便座ボックス１２の左側の上角縁には、可視光透過材料よりなる光照射部２０と、赤外線透過材料よりなるセンサ配置部２２とが設けられている。センサ配置部２２内には人体検知手段センサ（図示略）が配置されている。便座ボックス１２内の電気回路は、図示しないコード、プラグを介して商用電源（ＡＣ１００Ｖ）から給電される。この洋風便器１０は、図示しないホース及び止水栓を介して水道水が供給可能とされている。
【００３０】
トイレルームの左側の壁面にはリモコン３０が着脱自在に掛止されている。
【００３１】
このリモコン３０の前面下半部に、臀部を洗浄するためのシャワースイッチ３０ａ及びビデスイッチ３０ｂ、温風を吹き出すための乾燥スイッチ３０ｃ、洗浄強さを調節する洗浄強さ調節ダイヤル３０ｄ、洗浄及び乾燥を停止させるストップスイッチ３０ｓが設けられている。さらに、このリモコン３０の前面下半部には、便座ボックス１２の光照射部２０からの信号を受信する受信手段３２が設けられている。リモコン３０の前面上半部の可視光透過部の裏側には、太陽電池３３が設けられている。リモコン３０の上面には、洋風便器１０に大量（例えば約６Ｌ）の洗浄水を供給する大用フラッシュスイッチ３０ｅ、少量（例えば５Ｌ）の洗浄水を供給する男子小用フラッシュスイッチ３０ｆが設けられている。リモコン３０の前面上部には、制御信号の発信部３４が設けられている。
【００３２】
図示は省略するが、リモコン３０内には、太陽電池３３で発電された電力を蓄電するためのキャパシタのほか、制御回路が設置されている。この制御回路や送信部等はキャパシタから給電される。
【００３３】
シャワースイッチ３０ａを押すと、便座ボックス１２に設けられたシャワーノズル（図示略）が前進し、その先端から温水が噴出し、使用者臀部のシャワー洗浄（肛門洗浄）が行われる。ビデスイッチ３０ｂを押すと、同様に便座ボックス１２の本体部に設けられているビデノズル（図示略）が前進し、その先端から温水が噴出して人体臀部の温水洗浄（ビデ洗浄）が行われる。洗浄強さ調節ダイヤル３０ｄを回すことにより、洗浄強さ（温水噴出量）が調節される。
【００３４】
乾燥スイッチ３０ｃを押すと、便座ボックス１２内の温風ファンが作動し、人体臀部に温風が吹き付けられて乾燥が行われる。
【００３５】
ストップスイッチ３０ｓを押すと、これらシャワーノズル、ビデノズルまたは温風ファンの作動が停止される。フラッシュスイッチ３０ｅ（大用）又は３０ｆ（小用）を操作することにより、洋風便器１０の便鉢内に水が供給され、便器洗浄が行われる。
【００３６】
トイレ室内に人が居ないときには、光照射部２０は光を照射せず、リモコン３０はスリープモードとなっている。このスリープモードにあっては、スイッチ類３０ａ〜３０ｆ、３０ｓが操作不能な状態（スイッチが押されても信号を送信しない状態）となっている。これにより、リモコン３０のエネルギー消費量が低減される。
【００３７】
人が入室すると、便座ボックス１２の光照射部２０からリモコン３０に向けて光が照射される。この光をリモコン３０の太陽電池３３が受光して発電し、この電力をキャパシタが蓄電する。
【００３８】
また、リモコン３０がこの光を受信すると、リモコン３０がウェークアップモードとなる。このウェークアップモードにあっては、スイッチ３０ａ〜３０ｆ、３０ｓが操作可能な状態（スイッチが押されたときに信号を送信する状態）となっている。
【００３９】
このウェークアップモードにおいて、使用者がリモコン３０の各スイッチ３０ａ〜３０ｆ、３０ｓを操作することにより、便座ボックス１２の各機器が上記のように作動する。
【００４０】
使用者がトイレ室から退室し、便座ボックス１２の人体検知センサが人体を非検知となると、光照射部２０からの光照射が停止し、リモコン３０が上記スリープモードに切り換わる。
【００４１】
本実施の形態に係るリモコンユニットによると、人体検知時に、便座ボックス１２からリモコン３０に向けて光を照射することにより、リモコン３０のキャパシタを充電することができる。太陽電池３３によって光の一部が反射しても、太陽電池３３が下向きとなっているので、反射光が使用者の顔に当らず、眩しさが防止される。また、人体非検知時には、光照射を停止し、リモコンをスリープモードとするので、省電力化を図ることができる。
【００４２】
上記実施の形態は本発明の一例であり、本発明は上記実施の形態に限定されるものではない。
【００４３】
上記実施の形態では、便座ボックス１２とそのリモコンとからなるリモコンユニットを例示したが、これに限定されるものではない。例えば、キッチンの給湯器、エアコン、テレビなどの壁付けリモコン等にも適用可能である。
【００４４】
本発明では、リモコンの透光パネルの表面に、斜めに入射する光を透光パネルの表面で反射させることなく取り込み、太陽電池に向けて透過させるための多数の微細な凹凸形状部を設けてもよい。このような凹凸形状としては、プリズム形、四角推形などの多角推形、円錐形などが例示される。プレート面を平坦とした場合の平坦面と、該凹凸形状の斜面との交差角度は５〜８５°特に３０〜８０°程度であることが好ましい。
【符号の説明】
【００４５】
１，３０  リモコン
３，３Ａ，３Ｃ，３３  太陽電池
１０  洋風便器
１２  便座ボックス
２０  光照射部
３０  リモコン
３２  受信手段
３３  太陽電池
３４  発信部
【図１】
2011256631.tif 000003
【図２】
2011256631.tif 000004
【図３】
2011256631.tif 000005
【図４】
2011256631.tif 000006
【図５】
2011256631.tif 000007
【図６】
2011256631.tif 000008
【図７】
2011256631.tif 000009
【図８】
2011256631.tif 000010